(57)【要約】      （修正有）【課題】継ぎ目を無くし、構造的な強度が改良されたベルトを提供する。【解決手段】継ぎ目の無いエラストマーベルト１０は補強層２５、４５、およびエラストマー層１５を備え、補強層が渦巻状に巻き付けられて螺旋体に形成されたストリップによって形成される。ベルト構築マンドレルの外周面上に第１のエラストマー層１５を適用するステップ、端部を互いに継ぎ合わせるステップと、第１の層１５を覆って織物補強層を適用するステップであって、前記補強層２５は、マンドレルに渦巻状に巻き付けられて連続的な継ぎ目のない螺旋体を形成しているストリップで構成されているステップと、前記織物補強層を覆って第２のエラストマー層３５、５５を適用するステップと、層を所望の幅を有するベルト１０へと切断するステップと加硫するステップとを備える。【選択図】図４
2008174384.tif 000002
【特許請求の範囲】
【請求項１】
１つ以上の補強層、および１つ以上のエラストマー層を備え、前記少なくとも１つの補強層は、渦巻状に巻き付けられて螺旋体を形成しているストリップによって形成される、継ぎ目の無いエラストマーベルト。
【請求項２】
前記ストリップは、０．１５インチから１．５インチの範囲の幅を有することを特徴とする請求項１に記載の継ぎ目の無いエラストマーベルト。
【請求項３】
前記ストリップが織物製であることを特徴とする請求項１に記載の継ぎ目の無いエラストマーベルト。
【請求項４】
継ぎ目無しベルトを製作する方法であって、
ベルト構築マンドレルの外周面上に、第１のエラストマー層を適用するステップと、
端部を互いに継ぎ合わせるステップと、
前記第１の層を覆って織物補強層を適用するステップであって、前記補強層が、前記マンドレルに渦巻状に巻き付けられて連続的な継ぎ目の無い螺旋体を形成している連続的なストリップで構成されている、ステップと、
前記織物補強層を覆って第２のエラストマー層を適用するステップと、
前記層を、所望の幅を有する１つ以上のベルトへと切断するステップと、
前記１つ以上のベルトを加硫するステップと、
を含む方法。
【請求項５】
前記ストリップは離隔されていることを特徴とする請求項４に記載の方法。
【請求項６】
前記ストリップが重ねられていることを特徴とする請求項４に記載の方法。
【発明の詳細な説明】
【技術分野】
【０００１】
本発明は、織物ベルトに関し、より詳細には、ゴムで被覆された織物ベルトに関する。
【背景技術】
【０００２】
収穫物梱包機（ｃｒｏｐ  ｂａｉｌｉｎｇ  ｍａｃｈｉｎｅ）、または梱包機（ｂａｌｅｒ）は、通常、移動する細長いエラストマーのベルトを使用して１つ以上の方法で収穫物を操作する。乾草用ラウンド梱包機に関連して、１つ以上のそのようなエラストマーベルトは、一連の駆動ローラ、アイドラローラ、およびテンショナローラの上下を、蛇行構成で通過する。ベルトは、入ってくる収穫物の列を取り込み、直径が増大した渦巻きロールを形成するように機能する。
【０００３】
梱包用ベルトに伴う１つの問題は、それらが通常、互いに継ぎ合わされた織物で製作されることである。継ぎ目は、ベルト内の構造的な弱さの原因となる可能性がある。最終的に、ベルトが運転中に消耗するので、ベルトは結局、継ぎ目のところで破断することになる。
【発明の開示】
【発明が解決しようとする課題】
【０００４】
よって、継ぎ目をなくした、改良された継ぎ目無しベルトが望まれている。
【課題を解決するための手段】
【０００５】
本発明は、１つ以上の補強層、および１つ以上のエラストマー層で構成され、少なくとも１つの補強層が、渦巻状に巻き付けられて螺旋体を形成するストリップによって形成される、継ぎ目の無いエラストマーベルトを提供する。
【０００６】
本発明は、第２の態様において、継ぎ目無しベルトを製作する方法を提供し、この方法は、ベルト構築マンドレルの外周面上に、第１のエラストマー層を適用するステップと、端部を互いに継ぎ合わせるステップと、第１の層の上に織物補強層を適用するステップであって、前記補強層は、マンドレルに渦巻状に巻き付けられて連続的な継ぎ目のない螺旋体を形成する、連続的なストリップで構成されているステップと、前記織物補強層の上に第２のエラストマー層を適用するステップと、層を、所望の幅を有する１つ以上のベルトへと切断するステップと、前記１つ以上のベルトを加硫するステップとを含む。
【０００７】
添付の図面を参照しながら、本発明を例示の方法で説明する。
【発明を実施するための最良の形態】
【０００８】
図１は、たとえば、梱包用ベルト、Ｖベルト、ポリＶベルト、同期ベルト、あるいは、機能を実行しまたは動力を伝達するために使用される、何らかのベルトとしての使用に適した、本発明の継ぎ目無しベルト１０を示す。継ぎ目無しベルト１０は、エラストマー本体１０を備え、本体１０は、一体構造とすることができ、または、実質的に平行であり、同一または別々のエラストマー材料または弾性材料で構成される、第１の層１５および第２の層２５を備えることができる。使用することができるエラストマー材料の代表は、熱硬化性の天然または合成ゴム、熱可塑性のエラストマーおよびウレタンを含む。図２に示すように、第１のエラストマー層１５は、ベルト構築マンドレル２０の外周面２１の周りに巻き付けられている。次いで、ゴム層１５の端部２２および２４は、バット継ぎ目、ラップ継ぎ目、または当業者に知られた別の継ぎ目を用いて、互いに継ぎ合わされる。継ぎ目は、所望の角度で傾けることができ、またはマンドレルの長手軸と平行にすることができる。
【０００９】
次に、織物補強材の第２の層が、任意の第１の層１５を覆ってマンドレルに適用される。織物補強層２５は、ポリエステル、ナイロン、ケブラーまたはアラミド、およびレーヨンなど、当業者に知られたいかなる適当な材料を備えることができる。織物補強層は、連続的で継ぎ目のない螺旋体を形成するようにマンドレルの周りに渦巻状に巻き付けられた、連続的なストリップ２５を備える。螺旋の角度は、約１０度以内であり、ストリップの幅およびベルトの長さに依存する。継ぎ目の無い補強層が図３に示されている。ストリップは、たとえば５インチ、１インチ、２インチなど、いかなる所望の幅とすることができる。ストリップは、任意的に重ねることができ、またはその幅より小さい幅で、わずかに離隔させることができる。
【００１０】
ベルト１０は、追加のエラストマー層３５、５５、および織物補強層４５を備えることができる。追加の織物補強層４５が使用される場合、追加の織物補強層もまた、好ましくは第１の補強層と反対の方向に、マンドレルに渦巻状に適用することができる。たとえば、第１の補強層は、構築中に左から右へとマンドレル上に適用されるなど、第１の角度方向を有することができる。第２の補強層は、右から左へと適用されるなど、第２の異なる方向を有することができる。層をこのような方法で適用することによって、ベルトが螺旋体の方へと追随する傾向を防止することができる。代替的に、織物補強材料の追加の層を、バット継ぎ目またはラップ継ぎ目を使用して、従来通りに適用することができる。しかし、従来の織物補強層がベルトの内側となり、最も外側、あるいは頂部および／または底部の織物補強層が、渦巻状のストリップで形成されることが好ましい。補強層は、必ずしも織物補強材に限定されない。伸張性コードの補強材を、本体内で使用することもできる。
【００１１】
所望の数のエラストマー層および補強材の層がマンドレルに適用された後、ベルトスラブは、そのまま全体がマンドレルから取り外されるか、あるいは、スラブの幅および個々のベルトの幅によってのみ制約される、個別のベルトへと切断することができる。たとえば、スラブ幅は、５６インチであり、７インチ幅の個々のベルトを、８本作り出すことができる。当業者に知られた切断方法による、分割が用いられる。ベルトスラブまたは個々のベルトは、マンドレルから取り外され、エラストマーを硬化させるために熱および圧力にさらされる。
【００１２】
上記で説明したベルトおよび方法は、梱包用ベルトに限定されず、Vベルト、ポリVベルト、同期ベルト、平ベルト、あるいは、機能を実行しまたは動力を伝達するために使用される何らかのベルトなど、別のベルトの製造に使用することができる。
【００１３】
本明細書の記載に照らせば、本発明の変形形態が可能である。いくつかの代表的な実施形態および詳細を、本発明を説明する目的で示してきたが、それらにおける様々な変更および修正を、本発明の技術的範囲から逸脱することなく行うことができることが、当業者には明らかであろう。したがって、特にここに記載された実施形態に変更を加えることができ、それは添付の特許請求の範囲によって規定されるような本発明の意図された技術的範囲の全体に包含されることを理解されたい。
【図面の簡単な説明】
【００１４】
【図１】梱包用ベルトを示す斜視図である。
【図２】図１の梱包用ベルトを示す断面図である。
【図３】マンドレル上に構築されたベルトを示す図である。
【図４】マンドレル上に構築されたベルトをさらに示す図である。
【符号の説明】
【００１５】
１０    エラストマーベルト
１５    第１のエラストマー層
２０    マンドレル
２１    外周面
２２    端部
２４    端部
２５    補強層
３５    第２のエラストマー層
４５    補強層
５５    第２のエラストマー層
【図１】
2008174384.tif 000003
【図２】
2008174384.tif 000004
【図３】
2008174384.tif 000005
【図４】
2008174384.tif 000006
【外国語明細書】
2008174384.tif 000007
2008174384.tif 000008
2008174384.tif 000009
2008174384.tif 000010
2008174384.tif 000011
2008174384.tif 000012
2008174384.tif 000013
2008174384.tif 000014
2008174384.tif 000015